(57)【要約】【課題】メッキ表面肌外観を損なうことがないように、シールボックス内の酸素濃度を低く抑えるシールボックスを提供する。【解決手段】メッキ浴槽の上側で、鋼帯，ガスワイピングノズルおよびノズルヘッダーを同時に覆うようにシールボックスが設けられ、シールボックス本体の対向する側面壁には上下に長いノズルヘッダー孔が前後に間隔を存して設けられ、ノズルヘッダーの両端がシールボックスの外側に突出して、前記ノズルヘッダー孔との間に蛇腹が設けられる。シールボックス本体の対向する側面壁の上端には摺動ガイドが設けられ、これらには、鋼板を挟んだ一対の天板が左右方向に摺動自在に支持され、天板の前記鋼板を挟む部分には、鋼板を適宜長さにわたり間隔を狭めて包囲するスロート部が形成され、スロート部の内側には、鋼板に斜め上方向に窒素等の非酸化性ガスを噴出させるシールノズルが設けられる。【選択図】　　　　図３
2004010987.tif 000002
【特許請求の範囲】
【請求項１】
メッキ浴槽のメッキ液内に設置されたシンクロールに案内された鋼帯が、斜め上方から下方に導入されて上方に導出されるように構成され、液面直上で鋼帯を挟んで、昇降可能，前後移動可能、かつ、回動可能となったノズルヘッダーとガスワイピングノズルが対向し、前記鋼帯、ガスワイピングノズルおよびノズルヘッダーを同時に覆うようにシールボックスが設けられたものにおいて、
前記シールボックスの本体は矩形筒状体を呈し、該本体の対向する側面壁には上下に長いノズルヘッダー孔が前後に間隔を存して設けられ、これらのノズルヘッダー孔を貫通した前記ノズルヘッダーの両端がシールボックスの外側に突出して端部において支持され、該ノズルヘッダー端部を除いて前記ノズルヘッダー孔との間に蛇腹が設けられたことを特徴とする連続式溶融メッキラインにおけるシールボックス。
【請求項２】
前記シールボックスにおいて、前記本体の対向する側面壁の上端には摺動ガイドが設けられ、これらの摺動ガイドには、前記鋼板を挟んだ一対の天板が左右方向に摺動自在に支持され、これらの天板の前記鋼板を挟む部分には、該鋼板を適宜長さにわたり間隔を狭めて包囲するスロート部が形成され、該スロート部の内側には、該鋼板に斜め上方向に窒素等の非酸化性ガスを噴出させるシールノズルが設けられたことを特徴とする請求項１記載の連続式溶融メッキラインにおけるシールボックス。
【請求項３】
前記シールボックス本体の下部には湯面と間をシールするシールクロスが設けられたことを特徴とする請求項１または２記載の連続式溶融メッキラインにおけるシールボックス。
【請求項４】
前記シールボックス本体の前後面壁のいずれか一方壁の上部には、カーテン巻上軸が設けられ、該巻上軸にはシールカーテンが巻付けられてその下端が湯面との間をシールするようにしたことを特徴とする請求項１または２または３記載の連続式溶融メッキラインにおけるシールボックス。
【請求項５】
前記シールボックスにはボックス内の酸素濃度を調整するための非酸化性ガス吹き込み配管が設けられたことを特徴とする請求項１または２または３または４記載の連続式溶融メッキラインにおけるシールボックス。
【発明の詳細な説明】
【０００１】
【発明の属する技術分野】本発明は、連続式溶融メッキラインにおけるシールボックスに関する。
【０００２】
【従来の技術】連続式溶融メッキラインでは、メッキ浴槽からの鋼帯の立ち上がり部に、所定のメッキ付着量をコントロールするガスワイピングノズルが設置されている。このノズルのガス流体として、一般的に圧縮空気，燃焼排ガスまたは窒素等の非酸化性ガスが使用されている。しかし、メッキ種や付着量によっては、鋼帯メッキ表面肌の外観向上のため、窒素等の非酸化性ガスが使用される。この場合は、メッキ浴槽直上にシールボックスを設置し、そのボックス内でガスワイピングを実施している。このとき、シールボックス内の酸素濃度を低く保ちながら、ワイピングした方が表面肌外観が良いので、極力シールボックス内の酸素濃度を保ちながら生産する必要がある。
【０００３】
【発明が解決しようとする課題】しかしながら、従来のシールボックスでは、ガスワイピングノズルヘッダ（約６００ｍｍストロークの昇降動作・片側約１００ｍｍストロークの開閉動作と、任意のノズル角度に対応する回転動作を有する）との仕舞いが困難で開口部が残り、良好なシール性を保つことが困難であった。また、従来のシールボックスでは、シールボックス上面の鋼板通過スリット部等からシールボックス外部の空気が内部に混入し、シールボックス内の酸素濃度が上昇し、メッキ表面肌の外観が損なわれる場合があった。また、上部に鋼板の強制冷却用にＡＪＣ（エアージェットクーラー）がある場合は、その空気の侵入により、更にシールボックス内の酸素濃度が上昇しやすい。
本発明は上記課題を解決し、メッキ表面肌外観を損なうことがないように、シールボックス内の酸素濃度を低く抑えるシールボックスを提供することを目的とする。
【０００４】
【課題を解決するための手段】上記課題を解決するため、本発明の構成は次のとおりとする。即ち、第１構成は、メッキ浴槽のメッキ液内に設置されたシンクロールに案内された鋼帯が、斜め上方から下方に導入されて上方に導出されるように構成され、液面直上で鋼帯を挟んで、昇降可能，前後移動可能、かつ、回動可能となったノズルヘッダーとガスワイピングノズルが対向し、前記鋼帯、ガスワイピングノズルおよびノズルヘッダーを同時に覆うようにシールボックスが設けられたものにおいて、前記シールボックスの本体は矩形筒状体を呈し、該本体の対向する側面壁には上下に長いノズルヘッダー孔が前後に間隔を存して設けられ、これらのノズルヘッダー孔を貫通した前記ノズルヘッダーの両端がシールボックスの外側に突出して端部において支持され、該ノズルヘッダー端部を除いて前記ノズルヘッダー孔との間に蛇腹が設けられたことである。
【０００５】
第２構成は、第１構成に加え、前記シールボックスにおいて、前記本体の対向する側面壁の上端には摺動ガイドが設けられ、これらの摺動ガイドには、前記鋼板を挟んだ一対の天板が左右方向に摺動自在に支持され、これらの天板の前記鋼板を挟む部分には、該鋼板を適宜長さにわたり間隔を狭めて包囲するスロート部が形成され、該スロート部の内側には、該鋼板に斜め上方向に窒素等の非酸化性ガスを噴出させるシールノズルが設けられたことである。
【０００６】
第３構成は、第１または第２構成に加え、前記シールボックス本体の下部には湯面と間をシールするシールクロスが設けられたことである。
【０００７】
第４構成は、第１，第２または第３構成に加え、前記シールボックス本体の前後面壁のいずれか一方壁の上部には、カーテン巻上軸が設けられ、該巻上軸にはシールカーテンが巻付けられてその下端が湯面との間をシールするようにしたことである。
【０００８】
第５構成は、第１，第２，第３または第４構成に加え、前記シールボックスにはボックス内の酸素濃度を調整するための非酸化性ガス吹き込み配管が設けられたことである。
【０００９】
【発明の実施の形態】
以下に本発明の実施態様を図面に示す一実施例にもとづき説明する。
図１，２，３に示す連続式溶融メッキラインのシールボックスＢにおいて、メッキ浴槽Ｐ１のメッキ液内に設置されたシンクロールＰ２に案内された鋼帯Ａが、斜め上方から下方に導入されて上方に導出されるように構成される。そして、液面直上で鋼帯Ａを挟んで、昇降可能，前後移動可能、かつ、回動可能となったノズルヘッダーＰ３とガスワイピングノズルＰ４が対向する。前記鋼帯、ガスワイピングノズルおよびノズルヘッダーを同時に覆うように、シールボックスＢが設けられる。
【００１０】
図３，４で、前記シールボックスの本体１は矩形筒状体を呈し、該本体の対向する側面壁には上下に長いノズルヘッダー孔１ａが前後に間隔を存して設けられる。これらのノズルヘッダー孔を貫通した前記ノズルヘッダーＰ３の両端がシールボックスの外側に突出して端部において支持される。ノズルヘッダー孔１ａ，１ａの間には、上下に開閉可能な耐熱ガラス窓１ｂ，１ｂが設けられ、内部監視用及びノズル間隔測定用に使用される。
【００１１】
さてここで、ノズルヘッダーＰ３の端部を除いて、前記ノズルヘッダー孔１ａとの間に、蛇腹５が設けられる。この蛇腹は耐溶融金属侵食性に優れ、かつ、耐溶融金属濡れ性に悪い耐熱クロス製（例えば、シリコンガラスクロス）からなる。また、前記シールボックスＢにおいて、前記本体１の対向する側面壁の上端には摺動ガイド３が設けられ、これらの摺動ガイドには、前記鋼板Ａを挟んだ一対の天板２，２が左右方向に摺動自在に支持される。
【００１２】
これらの天板の前記鋼板Ａを挟む部分には、該鋼板を適宜長さにわたり間隔を狭めて包囲するスロート部４が形成される。該スロート部４の内側には、該鋼板の幅方向に均一にに窒素等の非酸化性ガスを噴出させ、かつ、ノズル角度調節可能なシールノズル４ａが設けられ、その上方にシール板４ｂが設けられる。これらにより、シールボックス上部からの空気の侵入が防止される。
【００１３】
前記シールボックス本体１の下部には、湯面変動に対応してそれと間をシールするシールクロス６（材料は例えば、嵩高ガラス繊維クロス）が設けられる。前記シールボックス本体１の前面壁（図１示の左側）の上部には、カーテン巻上軸７ａが設けられ、該巻上軸にはシールカーテン７ｂが巻付けられ、その下端が湯面との間をシールするようにされている。このカーテン（材料は例えば、嵩高ガラス繊維クロス）はボックス内のドロスを排出時に巻き上げられる。前記シールボックスには、ボックス内の酸素濃度を調整するための非酸化性ガス吹き込み配管８およびサンプリング配管９が設けられる。サンプリング配管より採取したシールボックス内の雰囲気ガスは酸素濃度測定器に送られ、酸素濃度に応じて非酸化性ガス流量を増減させて、吹き込み配管８よりシールボックス内に吹き込まれる。
【００１４】
以上において、ノズルヘッダーＰ３（約６００ｍｍストロークの昇降動作・片側約１００ｍｍストロークの開閉動作）と、ガスワイピングノズルＰ４（任意のノズル角度に対応する回転動作を有する）が位置変更動作をしたときは、前記ノズルヘッダー孔１ａとの間に蛇腹５が設けられているので、良好なシール性を保つことできる。
【００１５】
また、前記本体１の対向する側面壁の上端には摺動ガイド３が設けられ、これらの摺動ガイドには、前記鋼板Ａを挟んだ一対の天板２，２が左右方向に摺動自在に支持される。従って、シールボックス上面の鋼板通過スリット部の隙間を適切に調整でき、シールボックス外部からの空気の侵入を阻止できる。また、スロート部４によるシール作用が加わり、シールボックス内の酸素濃度の上昇を、更に抑えることができる。
【００１６】
本発明は前記した実施例や実施態様に限定されず、特許請求の精神および範囲を逸脱せずに種々の変形を含む。
【００１７】
【発明の効果】
本発明の構成により、シールボックスに対し良好なシール性を保つことできることとなり、シールボックス内の酸素濃度を低く抑えることができ、メッキ表面肌の外観を損なうことがないようになった。
【図面の簡単な説明】
【図１】本発明の一実施例の側面図である。
【図２】本発明の一実施例の正面図である。
【図３】本発明の一実施例の平面図である。
【図４】本発明の一実施例の要部斜視図である。
【符号の説明】
Ａ　鋼帯
Ｂ　シールボックス
Ｐ１メッキ浴槽
Ｐ２シンクロール
Ｐ３ノズルヘッダー
Ｐ４ガスワイピングノズル
１　シールボックス本体
１ａ　ノズルヘッダー孔
１ｂ　窓
２　シールボックス天板
３　天板摺動ガイド
４　スロート部
４ａ　シールノズル
４ｂ　シール板
５　蛇腹
６　シールクロス
７ａ　カーテン巻き上げ軸
７ｂ　シールカーテン
８　吹き込み配管
９　サンプリング配管
【図１】
2004010987.tif 000003
【図２】
2004010987.tif 000004
【図３】
2004010987.tif 000005
【図４】
2004010987.tif 000006